(57)【要約】【課題】個人を識別し、識別した個人に応じた時間で作動する脱臭装置を提供する。【解決手段】ＨＥＭＳ３０は、電気錠５２から入力された認証情報に基づいて電気錠５２を解錠した場合に、入力された認証情報に基づいて脱臭機６０，６２の作動の要否を判定し、脱臭機６０，６２の作動を要すると判定した場合に脱臭機６０，６２を作動させる。また、ＨＥＭＳ３０は、認証情報に応じて脱臭機６０，６２が作動する時間を設定する。【選択図】図１
2015092993.tif 000002
【特許請求の範囲】
【請求項１】
作動時に自機周辺の脱臭をする脱臭手段と、
電気錠から入力された認証情報に基づいて該電気錠を解錠した場合に、前記入力された認証情報に基づいて前記脱臭手段の作動の要否を判定し、前記脱臭手段の作動を要する判定の場合に前記脱臭手段を作動させる制御手段と、
を備えた脱臭装置。
【請求項２】
前記制御手段は、前記脱臭手段を作動させる場合に、前記認証情報に応じて前記脱臭手段が作動する時間を設定し、該設定した時間で前記脱臭手段を作動させる請求項１に記載の脱臭装置。
【請求項３】
オン操作されると前記脱臭手段の作動時間を延長する延長スイッチをさらに備え、
前記制御手段は、前記スイッチがオン操作された場合に、前記設定された前記脱臭手段が作動する時間を延長する請求項２に記載の脱臭装置。
【請求項４】
前記制御手段は、前記延長スイッチがオン操作された場合に、前記認証情報に応じて前記脱臭手段が作動する時間の延長時間を設定する請求項３に記載の脱臭装置。
【発明の詳細な説明】
【技術分野】
【０００１】
本発明は、建物内を脱臭する脱臭装置に関する。
【背景技術】
【０００２】
靴等の履物が置かれる玄関及び下駄箱では、履物の臭いがこもるような場合があり、かかる場合にはオゾンを発生させて臭いを除去する脱臭装置が用いられる。例えば、特許文献１では、下駄箱の内部にオゾン発生器を設けたオゾン脱臭装置付き下駄箱が提案されている。
【先行技術文献】
【特許文献】
【０００３】
【特許文献１】特開２００１−３１４２５０号公報
【発明の概要】
【発明が解決しようとする課題】
【０００４】
しかしながら特許文献１に記載のオゾン脱臭装置付き下駄箱は、発生させたオゾンを送風ファンによって下駄箱内を循環させることにより効果的に脱臭ができるものの、脱臭装置を必要な時間だけ作動させる制御が行われていないという問題点があった。
【０００５】
体臭の強さには個人差があり、履物の臭いの強さにも個人差がある。履物の臭いが強い傾向がある人は、脱臭装置を長く作動させる必要があるが、履物の臭いが強くない人は、その限りではない。脱臭装置の運転時間をタイマー等の制御により、一律の時間で脱臭装置が作動すると、臭いの強い履物が下駄箱にある場合は脱臭が不十分となるおそれがある。また、臭いが強くない履物が下駄箱にある場合は、十分に脱臭されても脱臭装置が作動を継続し、電力を無駄に消費することになる。
【０００６】
本発明は、上記事実を考慮して成されたもので、個人を識別し、識別した個人に応じた時間で作動する脱臭装置を提供することを目的とする。
【課題を解決するための手段】
【０００７】
上記課題を解決するための請求項１の発明は、作動時に自機周辺の脱臭をする脱臭手段と、電気錠から入力された認証情報に基づいて該電気錠を解錠した場合に、前記入力された認証情報に基づいて前記脱臭手段の作動の要否を判定し、前記脱臭手段の作動を要する判定の場合に前記脱臭手段を作動させる制御手段と、を備える。
【０００８】
請求項１に記載の発明によれば、個人を識別するための認証情報が入力されて電気錠が解錠された場合に、入力された認証情報に基づいて脱臭手段を作動させることができる。
【０００９】
請求項２の発明は、請求項１に記載の発明において、前記制御手段は、前記脱臭手段を作動させる場合に、前記認証情報に応じて前記脱臭手段が作動する時間を設定し、該設定した時間で前記脱臭手段を作動させる。
【００１０】
請求項２に記載の発明によれば、電気錠の解錠時に入力された認証情報に応じて、脱臭手段の作動時間を設定することができる。
【００１１】
請求項３の発明は、請求項２に記載の発明において、オン操作されると前記脱臭手段の作動時間を延長する延長スイッチをさらに備え、前記制御手段は、前記スイッチがオン操作された場合に、前記設定された前記脱臭手段が作動する時間を延長する。
【００１２】
請求項３に記載の発明によれば、延長スイッチをオンにすることにより、脱臭手段の作動時間を、設定された時間よりも延長できる。
【００１３】
請求項４の発明は、請求項３に記載の発明において、前記制御手段は、前記延長スイッチがオン操作された場合に、前記認証情報に応じて前記脱臭手段が作動する時間の延長時間を設定する。
【００１４】
請求項４に記載の発明によれば、電気錠の解錠時に入力された認証情報に応じて、脱臭手段の作動時間を延長する時間を設定することができる。
【発明の効果】
【００１５】
以上説明したように、請求項１に記載の発明は、電気錠の解錠時に入力された認証情報に基づいて脱臭手段の作動の可否を判定し、当該判定に基づいて脱臭手段を制御することにより、個人を識別して脱臭装置を作動させることができる。
【００１６】
請求項２に記載の発明によれば、電気錠の解錠時に入力された認証情報に応じて、脱臭手段の作動時間を設定することにより、個人を識別して、識別した個人に応じた時間で脱臭装置を作動させることができる。
【００１７】
請求項３に記載の発明によれば、スイッチ操作により、脱臭装置の作動時間を、設定された時間よりも延長できる。
【００１８】
請求項４に記載の発明によれば、電気錠の解錠時に入力された認証情報に応じて、脱臭手段の作動時間を延長する時間を設定することにより、個人を識別して、識別した個人に応じた時間で脱臭装置の作動時間を延長できる。
【図面の簡単な説明】
【００１９】
【図１】本発明の第１の実施の形態に係る脱臭装置を有する建物の一例を示す概略図である。
【図２】本発明の第１の実施の形態に係る脱臭装置におけるＨＥＭＳの概略構成を示すブロック図である。
【図３】本発明の第１の実施の形態に係る脱臭装置の制御の一例を示すフローチャートである。
【図４】本発明の第１の実施の形態に係る脱臭装置の運転時間を建物の居住者別に設定した居住者別運転時間テーブルの一例を示す図である。
【図５】本発明の第２の実施の形態に係る脱臭装置を有する建物の一例を示す概略図である。
【図６】本発明の第２の実施の形態に係る脱臭装置の制御の一例を示すフローチャートである。
【発明を実施するための形態】
【００２０】
［第１の実施の形態］
以下、図面を参照して本発明の第１の実施の形態の一例を詳細に説明する。図１は、本発明の実施の形態に係る脱臭装置を有する建物の一例を示す概略図である。
【００２１】
本実施の形態では、系統電力１２からの電力が、主幹ブレーカー１００を介して建物１０の分電盤１４に供給されている。主幹ブレーカー１００の分電盤１４側には、系統電力１２から供給される電力の電流値を検知する主幹ブレーカー電流センサ１１０が設けられている。系統電力１２から分電盤１４に供給された電力は、分岐回路２０Ａ〜２０Ｅを介してリビング５６に設置された電力負荷手段、玄関５８に設けられた脱臭機６０、下駄箱６４に設けられた脱臭機６２及びドア６６に設けられた電気錠５２に分配されている。
【００２２】
本実施の形態では、一例として、分岐回路２０Ａ、２０Ｂはリビング５６に導かれ、分岐回路２０Ａはエアコン１８に、分岐回路２０Ｂは照明２６に接続されている。また、分岐回路２０Ｃ、２０Ｄは玄関５８に導かれ、分岐回路２０Ｃは脱臭機６２に、分岐回路２０Ｄは脱臭装置６０に接続されている。また、分岐回路２０Ｅは電気錠５２に接続されている。
【００２３】
脱臭機６０，６２は、大気中での無声放電又は大気への紫外線照射によって酸素分子からオゾン分子を生成し、生成したオゾン分子の酸化作用により、臭いの原因物質を分解すると共に、装置周辺の除菌を可能とする装置である。本実施の形態では、一例として、筐体内の無声放電によってオゾン分子を生成する脱臭機を玄関５８及び下駄箱６４内に備える。
【００２４】
分岐回路２０Ａ〜２０Ｅには分岐回路２０Ａ〜２０Ｅの電流値を計測する電流センサ２２Ａ〜２２Ｅが各々設けられている。電流センサ２２Ａ〜２２Ｅからの情報線は、主幹ブレーカー電流センサ１１０からの情報線と建物内のエネルギーの管理や制御を行うＨＥＭＳ（Home Energy Management System）３０が分電盤１４を制御するための情報線と共にＨＥＭＳ３０に接続されている。なお、図１において破線は計測データ又は制御情報が流れる情報線であるとする。電流センサ２２Ａ〜２２Ｅが検知した電流値は当該電流値が検知された時に対応付けられて、電流センサ２２Ａ〜２２Ｅの検知結果としてＨＥＭＳ３０のメモリに記憶される。
【００２５】
分電盤１４の分岐回路２０Ａ〜２０Ｅには、分岐回路２０Ａ〜２０Ｅをオン状態又はオフ状態に切り替えるための分岐ブレーカー２４Ａ〜２４Ｅが各々設けられ、分岐ブレーカー２４Ａ〜２４Ｅは、ＨＥＭＳ３０によって制御される。また、ＨＥＭＳ３０は室内操作盤３２を別途備えてもよい。図１では、リビング５６に室内操作盤３２が設けられており、この室内操作盤３２を用いることにより、リビング５６からＨＥＭＳ３０の操作及び設定が可能となる。なお、図１では、記載の簡略化のために分岐回路は５系統のみ記載しているが、本実施の形態では５系統以上でも５系統以下でもよく、分岐回路の本数に特段の限定はない。
【００２６】
また、ＨＥＭＳ３０には電気錠５２が接続されている。ＨＥＭＳ３０は電気錠５２にカードキー等の電子鍵から入力された認証情報が適正か否かを判定し、肯定判定の場合には電気錠５２の施錠又は解錠を行う。また、ＨＥＭＳ３０にはゲートウェイである終端装置５４が接続されており、終端装置５４を介してネットワーク７０に接続されている。ネットワーク７０には、住居及びホームセキュリティ等に関する情報を建物１０に提供する情報センターの情報サーバ１２０が接続されており、ＨＥＭＳ３０は、情報サーバ１２０から住まい及びホームセキュリティの情報を適宜取得可能である。
【００２７】
図２は、本実施の形態に係る脱臭装置に係るＨＥＭＳ３０の概略構成を示すブロック図である。ＨＥＭＳ３０は、コンピュータを含んで構成されており、図２に示すように、ＣＰＵ３６、ＲＯＭ３８、ＲＡＭ４０、及び入出力ポート４２を備えて、これらがアドレスバス、データバス、及び制御バス等のバス４４を介して互いに接続されている。
【００２８】
入出力ポート４２には、各種入出力機器として、表示部４６、操作部４８、及びメモリ５０が接続されている。なお、表示部４６及び操作部４８は一体で構成され、操作部４８は、表示部４６に設けられたタッチパネルを適用することができるし、上述のように室内操作盤３２として、操作部４８と表示部４６とを一体に構成してもよい。
【００２９】
表示部４６には、建物１０の消費電力量及び脱臭機６０，６２の稼働状況等の情報が表示可能である。メモリ５０には、分岐ブレーカー２４Ａ〜２４Ｅを制御するプログラム、電流センサ２２Ａ〜２２Ｅの検知結果に基づいて建物１０での消費電力量を算出するプログラム、脱臭機６０，６２を制御するプログラム及びこれらのプログラムを実行するための各種情報等が記憶されている。ＨＥＭＳ３０は、メモリ５０に記憶されたプログラムをＲＡＭ４０等に展開してＣＰＵ３６で実行することにより、建物１０へ供給する電力の制御等の各種制御、消費電力量の算出及び脱臭機６０，６２の制御を行うようになっている。
【００３０】
建物１０の消費電力量は、電流センサ２２Ａ〜２２Ｅが検知した電流値から算出可能である。分電盤１４から供給される電圧は略１００Ｖなので、本実施の形態では各電流センサが検知した電流値に１００を乗算することで、消費電力量を算出する。しかしながら、電圧の変動が大きい分岐回路では、別途電圧を測定する手段を設けてもよい。また、ＨＥＭＳ３０の入出力ポート４２には、分電盤１４、脱臭機６０，６２、電気錠５２及び終端装置５４等が接続されている。
【００３１】
続いて、本実施の形態に係る脱臭機６０，６２の制御について説明する。図３は、本実施の形態に係る脱臭装置の制御の一例を示すフローチャートである。ステップ３００では、居住者が自身の電子鍵を用いて電気錠５２を解錠した時に、当該居住者を識別するためのＩＤ情報が認証情報としてＨＥＭＳ３０に入力される。ＩＤ情報は、例えば、複数の文字又は記号を含み、居住者毎に異なる構成となっている情報である。
【００３２】
ステップ３０２では、脱臭機６０，６２の運転時間を設定する。本実施の形態では、ＨＥＭＳ３０は、図４に示した脱臭装置の運転時間を建物の居住者別に設定した居住者別運転時間テーブルを参照して、ＩＤ情報に応じて脱臭機６０，６２の運転時間を設定する。図４の居住者別運転時間テーブルは、ＨＥＭＳ３０のメモリ５０に記憶されており、各居住者のＩＤ情報と運転時間とが対応付けられて記録されている。ＨＥＭＳ３０は、ステップ３００で入力されたＩＤ情報に該当する居住者の運転時間を、図４の居住者別運転時間テーブルから抽出して、脱臭機６０，６２の運転時間として設定する。なお、居住者別運転時間テーブルの運転時間は０にも設定可能であり、運転時間が０の場合は、脱臭機６０，６２は作動しない。居住者によって脱臭器６０，６２の作動が必要ない場合には、当該居住者に係る運転時間を０に設定すればよい。
【００３３】
ステップ３０４では脱臭機６０，６２の運転を開始する。ステップ３０６では、ステップ３０２で設定した運転時間が経過したか否かを判定し、肯定判定の場合には、ステップ３０８において、脱臭機６０，６２の運転を停止して、処理を終了する。ステップ３０６で否定判定の場合には、ステップ３０６で運転時間が経過したと判定されるまで脱臭機６０，６２の運転を継続する。
【００３４】
なお、本実施の形態では、図４に示した居住者別運転時間テーブルから電気錠５２の解錠で認証した居住者のＩＤ情報に対応した運転時間を抽出した。図４に示した運転時間は、ＨＥＭＳ３０のユーザである居住者が室内操作盤３２等を操作して任意に設定できる。本実施の形態では、ユーザである居住者は、任意に運転時間を設定し、かかる運転時間で履物の脱臭が十分になされるか否かで、設定した運転時間を適宜変更する。
【００３５】
または、予めＨＥＭＳ３０に運転時間設定のためのガイドプログラムをインストールしておき、ユーザは、当該ガイドプログラムの案内に従って運転時間を設定するようにしてもよい。
【００３６】
ガイドプログラムは、一例として、居住者の年齢、性別、日々の運動量を居住者に入力させ、入力した事項に基づいて運転時間を算出する。例えば、中高年の男性で、歩行時間が長い等で日々の運動量が多めの人の場合には、運転時間を長めに設定する。また、小児で女子であって、日々の運動量が多くない人の場合では、運転時間を短めに設定する。
【００３７】
ガイドプログラムは、「年齢は？」、「性別は？」、「運動量は多めですか？」等のように、対話形式で入力を促すものが好ましい。また、ユーザは、例えば、ガイドプログラムで設定された運転時間で脱臭機６０，６２を運用してみて脱臭が不十分な場合には、室内操作盤３２等を操作することにより、運転時間を調整してもよい。
【００３８】
また、本実施の形態では、原則として、脱臭機６０，６２は各々同一の運転時間で作動させるが、脱臭機６０，６２で運転時間が異なるように設定してもよい。例えば、下駄箱６４の容積が小さい場合には、脱臭機６２の運転時間を、玄関５８に設置された脱臭機６０よりも短く設定してもよい。又は、下駄箱６４内の履物の臭いが強いような場合には、脱臭機６２の運転時間を脱臭機６０よりも長くしてもよい。
【００３９】
また、本実施の形態では、玄関５８と下駄箱６４に脱臭機６０，６２を各々設置した。しかしながら、脱臭機の脱臭能力が、１台で玄関５８及び下駄箱６４内をともに脱臭可能な場合には、脱臭機は玄関５８又は下駄箱６４のいずれかに１台設置するだけでもよい。
【００４０】
以上説明したように、本実施の形態によれば、電気錠５２を解錠した際に入力された居住者のＩＤ情報に対応した脱臭機６０，６２の運転時間を設定することができる。その結果、個人を識別し、識別した個人に応じた時間で脱臭装置を作動させることが可能となる。
【００４１】
［第２の実施の形態］
続いて、本発明の第２の実施の形態について説明する。図５は、本実施の形態に係る脱臭装置を有する建物の一例を示す概略図である。図５に示した本実施の形態に係る建物１０では、専用スイッチ３４が玄関５８に設けられている点が前述の第１の実施の形態に係る建物と相違する。図５では、第１の実施の形態と相違する専用スイッチ３４以外の構成については、第１の実施の形態と同一の符号を付し、それらの詳細な説明は省略する。
【００４２】
専用スイッチ３４は、脱臭機６０，６２の制御に係るスイッチであって、オンにされると、ＨＥＭＳ３０は設定された運転時間に所定の時間を加算する。その結果、脱臭機６０，６２の運転時間は加算された所定の時間で延長される。専用スイッチ３４は電気錠５２を解錠した居住者が任意に操作可能で、例えば、夏場、足の蒸れが気になる等の、通常時よりも履物の臭いが強いと思われる時にオン操作が推奨されるスイッチである。専用スイッチ３４がオン操作になると、設定された運転時間を超えて脱臭機６０，６２は作動するので、玄関５８及び下駄箱６４内を効果的に消臭することができる。
【００４３】
図６は、本実施の形態に係る脱臭装置の制御の一例を示すフローチャートである。ステップ５００では、居住者が自身の電子鍵を用いて電気錠５２を解錠した時に、当該居住者を識別するためのＩＤ情報がＨＥＭＳ３０に入力される。
【００４４】
ステップ５０２では、脱臭機６０，６２の運転時間を設定する。第１の実施の形態と同様に、ＨＥＭＳ３０は、図４に示した脱臭装置の運転時間を建物の居住者別に設定した居住者別運転時間テーブルを参照して、脱臭機６０，６２の運転時間を設定する。
【００４５】
ステップ５０４では脱臭機６０，６２の運転を開始する。ステップ５０６では、専用スイッチ３４がオン操作になったか否かが判定され、肯定判定の場合には、ステップ５０８で加算時間が設定される。加算時間は、全居住者に対して一律の時間でもよいし、居住者毎に異なる時間であってもよい。居住者毎に異なる加算時間を設定する場合では、ＨＥＭＳ３０のメモリ５０に予め各居住者のＩＤ情報と加算時間とを対応付けて記憶しておき、電気錠５２の解錠に際してＨＥＭＳ３０に入力された居住者のＩＤ情報に対応付けられた加算時間を抽出する。
【００４６】
ステップ５１０では、ステップ５０８で設定した加算時間が加算された運転時間が経過したか否かを判定し、肯定判定の場合には、ステップ５１２において、脱臭機６０，６２の運転を停止して、処理を終了する。ステップ５１０で否定判定の場合には、ステップ５１０で運転時間が経過したと判定されるまで脱臭機６０，６２の運転を継続する。
【００４７】
また、ステップ５０６で否定判定の場合には、ステップ５１４で、ステップ５０２で設定した運転時間が経過したか否かを判定し、肯定判定の場合には、ステップ５１２において、脱臭機６０，６２の運転を停止して、処理を終了する。ステップ５１４で否定判定の場合には、ステップ５１４で運転時間が経過したと判定されるまで脱臭機６０，６２の運転を継続する。
【００４８】
なお本実施の形態では、専用スイッチ３４がオン操作されると、脱臭機６０，６２には各々同一の加算時間が設定されるが、脱臭機６０，６２で加算時間が異なるように設定してもよい。例えば、下駄箱６４の容積が小さい場合には、脱臭機６２の加算時間を、玄関５８に設置された脱臭機６０よりも短く設定してもよい。又は、下駄箱６４内の履物の臭いが強いような場合には、脱臭機６２の加算時間を脱臭機６０よりも長くしてもよい。
【００４９】
または、専用スイッチ３４がオンになった場合には、図６のステップ５０８で、居住者別運転時間テーブルに基づいて設定した運転時間に所定の倍率を乗算することにより、運転時間を加算した場合と同様に、運転時間を延長してもよい。所定の倍率は、一例として、１．５，２．０，２．５等の１以上の定数である。かかる倍率は、全居住者で一律でもよいし、居住者に応じて異なる数値が設定可能であってもよい。
【００５０】
また、本実施の形態では、玄関５８と下駄箱６４に脱臭機６０，６２を各々設置した。しかしながら、脱臭装置の脱臭能力が、１台で玄関５８及び下駄箱６４内を共に脱臭可能な場合には、脱臭装置は玄関５８又は下駄箱６４のいずれかに１台設置するだけでもよい。
【００５１】
以上説明したように、本実施の形態によれば、個人を識別して設定された運転時間では脱臭が十分ではないと思われるような場合に、さらに運転時間を加算することにより、玄関５８及び下駄箱６４内を効果的に消臭することができる。
【符号の説明】
【００５２】
１０   建物
３０   ＨＥＭＳ
３２   室内操作盤
３４   専用スイッチ
３６   ＣＰＵ
３８   ＲＯＭ
４０   ＲＡＭ
４２   入出力ポート
４４   バス
４６   表示部
４８   操作部
５０   メモリ
５２   電気錠
５８   玄関
６０，６２    脱臭機
６４   下駄箱
６６   ドア
【図１】
2015092993.tif 000003
【図２】
2015092993.tif 000004
【図３】
2015092993.tif 000005
【図４】
2015092993.tif 000006
【図５】
2015092993.tif 000007
【図６】
2015092993.tif 000008